【手続補正書】
【提出日】平成17年5月18日(2005.5.18)
【手続補正１】
【補正対象書類名】明細書
【補正対象項目名】特許請求の範囲
【補正方法】変更
【補正の内容】
【特許請求の範囲】
【請求項１】
メイン情報と付加情報が記録された情報記録媒体であって、
上記メイン情報の記録位置を示すアドレス情報として意味を持たせた上記付加情報が埋め込まれていることを特徴とする情報記録媒体。
【請求項２】
複数の記録領域を切り換えて使用される情報記録媒体であって、
上記メイン情報が各記録領域に分配して記録されることにより、上記メイン情報が記録された記録領域を示すアドレス情報として意味を持たせた上記付加情報が埋め込まれていることを特徴とする請求項１記載の情報記録媒体。
【請求項３】
多層の書き込み層を有する情報記録媒体であって、
上記メイン情報が各書き込み層に分配して記録されることにより、上記メイン情報が記録された書き込み層を示すアドレス情報として意味を持たせた上記付加情報が埋め込まれていることを特徴とする請求項１記載の情報記録媒体。
【請求項４】
メイン情報と付加情報を情報記録媒体に記録する情報記録方法であって、
上記メイン情報を情報記録媒体に記録するためのメイン情報処理ステップと、
上記メイン情報の記録位置を示すアドレス情報として意味を持たせた上記付加情報を埋め込んで上記情報記録媒体に記録するための付加情報処理ステップと、
上記付加情報処理ステップで処理された上記付加情報を、上記メイン情報処理ステップで処理された上記メイン情報に該メイン情報の記録位置を示すアドレス情報として意味を持たせて埋め込んで、上記メイン情報と付加情報を上記情報記録媒体に記録する情報記録ステップと
を有することを特徴とする情報記録方法。
【請求項５】
メイン情報の記録位置を示すアドレス情報として意味を持たせた付加情報が埋め込まれて情報記録媒体から、メイン情報と付加情報を再生する情報再生方法であって、
上記情報記録媒体から読み取られた再生信号からメイン情報を検出するメイン情報検出ステップと、
上記メイン情報の記録位置を示すアドレス情報として埋め込まれている上記付加情報を上記情報記録媒体から読み取られた再生信号から検出する付加情報検出ステップと、
上記メイン情報検出ステップで検出されたメイン情報に対して、上記付加情報検出ステップで検出された付加情報に応じて適応的な処理を施す適応処理ステップとを有し、
上記付加情報に応じた適応的な処理を施したメイン情報を出力することを特徴とする情報再生方法。
【請求項６】
メイン情報と付加情報を情報記録媒体に記録する情報記録装置であって、
上記メイン情報を情報記録媒体に記録するためのメイン情報処理手段と、
上記メイン情報の記録位置を示すアドレス情報として意味を持たせた上記付加情報を埋め込んで上記情報記録媒体に記録するための付加情報処理手段と、
上記付加情報処理手段により処理された上記付加情報を、上記メイン情報処理手段により処理された上記メイン情報に該メイン情報の記録位置を示すアドレス情報として意味を持たせて埋め込んで、上記メイン情報と付加情報を上記情報記録媒体に記録する情報記録手段と
を備えることを特徴とする情報記録装置。
【請求項７】
上記付加情報処理手段により上記メイン情報の再生及び／又は記録の動作を適応的に変化させるトリガ情報を上記付加情報として上記メイン情報に多重化して上記情報記録媒体に記録するための付加情報処理を行い、
上記情報記録手段により、上記メイン情報の再生及び／又は記録の動作を適応的に変化させるトリガ情報を上記付加情報として上記メイン情報に埋め込んで、上記メイン情報と付加情報を上記情報記録媒体に記録することを特徴とする請求項６記載の情報記録装置。
【請求項８】
上記情報記録手段により、上記メイン情報の記録位置を示すアドレス情報の上位ビットとして意味を持たせた上記付加情報を埋め込んで、上記メイン情報と付加情報を上記情報記録媒体に記録することを特徴とする請求項６記載の情報記録装置。
【請求項９】
複数の記録領域を切り換えて使用される情報記録媒体にメイン情報と付加情報を記録する情報記録装置であって、
上記情報記録手段により、上記メイン情報を各記録領域に分配して記録し、上記メイン情報が記録された記録領域を示すアドレス情報として意味を持たせた上記付加情報を埋め込んで、上記メイン情報と付加情報を上記情報記録媒体に記録することを特徴とする請求項６記載の情報記録装置。
【請求項１０】
多層の書き込み層を有する情報記録媒体にメイン情報と付加情報を記録する情報記録装置であって、
上記情報記録手段により、上記メイン情報が各書き込み層に分配して記録し、上記メイン情報が記録された書き込み層を示すアドレス情報として意味を持たせた上記付加情報を埋め込んで、上記メイン情報と付加情報を上記情報記録媒体に記録することを特徴とする請求項６記載の情報記録装置。
【請求項１１】
両面記録の情報記録媒体にメイン情報と付加情報を記録する情報記録装置であって、
上記情報記録手段により、上記メイン情報を各書き込み面に分配して記録し、上記メイン情報が記録された書き込み面を示すアドレス情報として意味を持たせた上記付加情報を埋め込んで、上記メイン情報と付加情報を上記情報記録媒体に記録することを特徴とする請求項６記載の情報記録装置。
【請求項１２】
上記メイン情報が分配して記録される複数枚を１組とする情報記録媒体にメイン情報と付加情報を記録する情報記録装置であって、
上記情報記録手段により、上記メイン情報を各書き込み面に分配して記録し、上記メイン情報が記録された書き込み面を示すアドレス情報として意味を持たせた上記付加情報を埋め込んで、上記メイン情報と付加情報を上記情報記録媒体に記録することを特徴とする請求項６記載の情報記録装置。
【請求項１３】
メイン情報の記録位置を示すアドレス情報として意味を持たせた付加情報が埋め込まれて情報記録媒体から、メイン情報と付加情報を再生する情報再生装置であって、
上記情報記録媒体から読み取られた再生信号からメイン情報を検出するメイン情報検出手段と、
上記メイン情報の記録位置を示すアドレス情報として埋め込まれている上記付加情報を上記情報記録媒体から読み取られた再生信号から検出する付加情報検出手段と、
上記メイン情報検出手段により検出されたメイン情報に対して、上記付加情報検出手段により検出された付加情報に応じて適応的な処理を施す適応処理手段とを備え、
上記付加情報に応じた適応的な処理を施したメイン情報を出力することを特徴とする情報再生装置。
【請求項１４】
上記付加情報検出手段により、上記メイン情報の記録位置を示すアドレス情報として埋め込まれている上記付加情報を上記情報記録媒体から読み取られた再生信号から検出することを特徴とする請求項１３記載の情報再生装置。
【請求項１５】
複数の記録領域を切り換えて使用される情報記録媒体から、メイン情報と付加情報を再生する情報再生装置であって、
上記メイン情報検出手段により、各記録領域に分配して記録されている上記メイン情報を再生信号から検出し、
上記付加情報検出手段により、上記メイン情報が記録された記録領域を示すアドレス情報として埋め込まれている上記付加情報を上記再生信号から検出することを特徴とする請求項１４記載の情報再生装置。
【請求項１６】
多層の書き込み層を有する情報記録媒体から、メイン情報と付加情報を再生する情報再生装置であって、
上記メイン情報検出手段により、各書き込み層に分配して記録されている上記メイン情報を再生信号から検出し、
上記付加情報検出手段により、上記メイン情報が記録された書き込み層を示すアドレス情報として埋め込まれている上記付加情報を上記再生信号から検出することを特徴とする請求項１４記載の情報再生装置。
【請求項１７】
両面記録の情報記録媒体から、メイン情報と付加情報を再生する情報再生装置であって、
上記メイン情報検出手段により、各書き込み面に分配して記録されている上記メイン情報を再生信号から検出し、
上記付加情報検出手段により、上記メイン情報が記録された書き込み面を示すアドレス情報として埋め込まれている上記付加情報を上記再生信号から検出することを特徴とする請求項１４記載の情報再生装置。
【請求項１８】
上記メイン情報が分配して記録される複数枚を１組とする情報記録媒体から、メイン情報と付加情報を再生する情報再生装置であって、
上記メイン情報検出手段により、各書き込み面に分配して記録されている上記メイン情報を再生信号から検出し、
上記付加情報検出手段により、上記メイン情報が記録された書き込み面を示すアドレス情報として埋め込まれている上記付加情報を上記再生信号から検出することを特徴とする請求項１４記載の情報再生装置。
【請求項１９】
情報記録媒体を介してメイン情報と付加情報を記録再生する情報記録再生装置であって、
上記メイン情報を情報記録媒体に記録するためのメイン情報処理手段と、
上記メイン情報の記録位置を示すアドレス情報として意味を持たせた上記付加情報を埋め込んで上記情報記録媒体に記録するための付加情報処理手段と、
上記付加情報処理手段により処理された上記付加情報を、上記メイン情報処理手段により処理された上記メイン情報に該メイン情報の記録位置を示すアドレス情報として意味を持たせて埋め込んで、上記メイン情報と付加情報を上記情報記録媒体に記録する情報記録手段と、
上記情報記録媒体から読み取られた再生信号からメイン情報を検出するメイン情報検出手段と、
上記メイン情報の記録位置を示すアドレス情報として埋め込まれている上記付加情報を上記情報記録媒体から読み取られた再生信号から検出する付加情報検出手段と、
上記メイン情報検出手段により検出されたメイン情報に対して、上記付加情報検出手段により検出された付加情報に応じて適応的な処理を施す適応処理手段とを備え、
上記付加情報に応じた適応的な処理を施したメイン情報を出力することを特徴とする情報記録再生装置。